(57)【要約】【課題】顧客に新鮮な印象を与えるとともに集客効果に優れた、携帯端末位置に応じたオンライン抽選システム，携帯端末位置に応じたオンライン抽選方法及び携帯端末位置に応じたオンライン抽選プログラムの提供を目的とする。【解決手段】携帯端末位置に応じたオンライン抽選システム１は、ＧＰＳ機能を有する携帯端末１０からのネットワーク１００を介して行われるアクセスに対して、抽選サーバ２０が、携帯端末１０の位置を確認し、携帯端末１０が所定のエリア内に存在するとき、抽選番号と認識番号を生成して携帯端末１０に送信するとともに、抽選番号と認識番号を抽選番号データベース３０に格納し、さらにオンライン上で抽選を行う構成としてある。【選択図】　　　図１
2004038592.tif 000002
【特許請求の範囲】
【請求項１】
ＧＰＳ機能を有する携帯端末からのネットワークを介して行われるアクセスに対して、抽選サーバが、前記携帯端末の位置を確認し、前記携帯端末が所定のエリア内に存在するとき、抽選番号を生成して前記携帯端末に送信するとともに、前記抽選番号を抽選番号データベースに格納し、さらに、オンライン上で抽選を行うことを特徴とする携帯端末位置に応じたオンライン抽選システム。
【請求項２】
前記抽選サーバが、前記所定のエリアを二以上の分割エリアに分割し、前記分割エリアごとに異なる当選確率の抽選を行うことを特徴とする請求項１記載の携帯端末位置に応じたオンライン抽選のステム。
【請求項３】
前記抽選サーバが、前記所定のエリアを二以上の分割エリアに分割し、前記分割エリアごとに異なる賞品に対して抽選を行うことを特徴とする請求項１又は２記載の携帯端末位置に応じたオンライン抽選システム。
【請求項４】
前記分割エリアを、店舗内，テーマパーク内又は商店街内の特定位置を含む範囲としたことを特徴とする請求項２又は３記載の携帯端末位置に応じたオンライン抽選システム。
【請求項５】
前記抽選サーバが、前記携帯端末の位置を確認した際、前記携帯端末が前記所定のエリア内に存在しないとき、宣伝及び／又は抽選情報を前記携帯端末に送信することを特徴とする請求項１〜４のいずれかに記載の位置限定オンライン抽選システム。
【請求項６】
前記抽選サーバが、前記携帯端末に、賞品を渡す場所の情報を送信することを特徴とする請求項１〜５のいずれかに記載の位置限定オンライン抽選システム。
【請求項７】
ＧＰＳ機能を有する携帯端末を使用するユーザが、ネットワークを介して抽選サーバにアクセスする段階と、
前記抽選サーバが、
前記アクセスを受けると、前記携帯端末が所定のエリア内に存在することを確認する段階と、
前記携帯端末が所定のエリア内に存在するとき、抽選番号を生成して前記携帯端末に送信するとともに、前記抽選番号を抽選番号データベースに格納し、さらにオンライン上で抽選を行う段階と
を有することを特徴とする携帯端末位置に応じたオンライン抽選方法。
【請求項８】
ネットワークを介してオンライン上で抽選を行う抽選サーバに、
ＧＰＳ機能を有する携帯端末からのネットワークを介して行われるアクセスに対して、前記携帯端末の位置を確認し、前記携帯端末が所定のエリア内に存在するか否かを判断させる手順と、
前記携帯端末が所定のエリア内に存在すると判断したとき、抽選番号を生成して前記携帯端末に送信するとともに、前記抽選番号を抽選番号データベースに格納し、さらに、オンライン上で抽選を行う手順と
を実行させるための携帯端末位置に応じたオンライン抽選のプログラム。
【発明の詳細な説明】
【０００１】
【発明の属する技術分野】
本発明は、携帯端末位置に応じたオンライン抽選システム，携帯端末位置に応じたオンライン抽選方法及び携帯端末位置に応じたオンライン抽選プログラムに関し、特に、抽選サーバが、ＧＰＳ機能を有する携帯端末の位置情報にもとづいて、所定のエリア内に携帯端末が存在するとき、この携帯端末に対してオンライン上で抽選を行うことにより、携帯端末を使用するユーザを所定のエリア内に集めることを可能とする、携帯端末位置に応じたオンライン抽選のシステム，その方法及びそのプログラムに関する。
【０００２】
【従来の技術】
従来、抽選機能を有するサーバが、携帯端末からのネットワークを介したアクセスに対して抽選を行う、抽選システムの技術が提案されている。
この抽選システムは、抽選を行う条件や抽選内容などに応じて、様々なシステムが提案されている。
【０００３】
例えば、特開２００２−７３８８１号公報において、ネットワークを介した購入者端末からのアクセスに対して、くじの販売、抽選、当選、賞金の振込み処理をオンラインで行うオンラインくじサービスシステムの技術が提案されている。この技術は、くじに関するすべての処理を一貫してオンラインで行うことができる技術である。
【０００４】
また、例えば、特開２００１−１２５９３２号公報において、アンケート収集を効果的に行えるように、収集したアンケートデータにもとづいて抽選を行うアンケートデータ収集方法の技術が提案されている。
この技術は、通信装置を使用するユーザがアンケートに応じることが前提とされており、アンケートに応じたユーザが、通信装置により容易に抽選を行うことができる技術である。
【０００５】
さらに、例えば、特開２００１−２０９６９８号公報において、ＧＰＳ機能を有した携帯端末の位置情報にもとづいて、特定の地域にいる人にのみ特定の情報・サービスを提供する技術が提案されている。
この技術は、携帯端末のＧＰＳ機能を利用することにより、携帯端末を使用しているユーザの位置を確認し、ユーザが特定の地域にいる場合に、情報やサービスの提供を行う技術である。
【０００６】
ところで、情報化社会と言われて久しい今日、私たちの周りには多種多様な大量の情報があふれており、例えば、新店舗をオープンする新聞広告や、テーマパーク内でイベントを行う掲示物の貼り出しなどを行っても、よほど強烈なインパクトがなければ、顧客の関心を引くことが難しくなってきている。
このような状況を打開する方法として、抽選会を行うことにより、顧客に新店舗やイベント会場など足を運んでもらい、実際に商品やイベントを見てもらう方法があり、この方法によれば、顧客に記憶に残るインパクトを与えることができる。
【０００７】
【発明が解決しようとする課題】
しかしながら、顧客によっては、抽選会には参加したいが、アンケートに答えたり、商品を購入したりすることに抵抗感を感じたり、あるいは、抽選会場で抽選装置の前に並んだり、複雑な抽選方法を覚えることに煩わしさを感じた経験があり、躊躇してしまう人もいる。
つまり、従来の抽選システムでは、集客を目的とした抽選会を行おうとしている場合であっても、抽選システムがマンネリ化しているために、顧客に新鮮な感覚を与えることができず、十分な集客効果を上げることができないといった問題があった。
【０００８】
本発明は、上記の問題を解決すべくなされたものであり、顧客に新鮮な印象を与えるとともに集客効果に優れた、携帯端末位置に応じたオンライン抽選システム，携帯端末位置に応じたオンライン抽選方法及び携帯端末位置に応じたオンライン抽選プログラムの提供を目的とする。
【０００９】
【課題を解決するための手段】
この目的を達成するため、本発明の請求項１記載の携帯端末位置に応じたオンライン抽選システムは、ＧＰＳ機能を有する携帯端末からのネットワークを介して行われるアクセスに対して、抽選サーバが、前記携帯端末の位置を確認し、前記携帯端末が所定のエリア内に存在するとき、抽選番号を生成して前記携帯端末に送信するとともに、前記抽選番号を抽選番号データベースに格納し、さらに、オンライン上で抽選を行う構成としてある。
このように、所定のエリア内にいるユーザ（顧客）だけを対象として抽選の機会を与えているので、ユーザは、エリア内の抽選会場まで容易に移動することができ、集客率を向上させることができる。
【００１０】
また、請求項２記載の発明は、上記請求項１記載の携帯端末位置に応じたオンライン抽選システムにおいて、前記抽選サーバが、前記所定のエリアを二以上の分割エリアに分割し、前記分割エリアごとに異なる当選確率の抽選を行う構成としてある。
このようにすることにより、所定のエリア内にいるユーザであっても、抽選サーバにアクセスした位置に応じて、当選確率を異ならせることができるので、差別化した抽選を行うことができる。
【００１１】
また、請求項３記載の発明は、上記請求項１又は２記載の携帯端末位置に応じたオンライン抽選システムにおいて、前記抽選サーバが、前記所定のエリアを二以上の分割エリアに分割し、前記分割エリアごとに異なる賞品に対して抽選を行う構成としてある。
このようにすることにより、所定のエリア内にいるユーザであっても、抽選サーバにアクセスした位置に応じて、異なる賞品、例えば、ユーザが希望する賞品の抽選を行うことができる。
【００１２】
また、請求項４記載の発明は、上記請求項２又は３記載の携帯端末位置に応じたオンライン抽選システムにおいて、前記分割エリアを、店舗内，テーマパーク内又は商店街内の特定位置を含む範囲とした構成としてある。
このようにすることにより、ユーザが希望する特定位置を分割エリアとすることができ、集客効率を向上させることができる。
【００１３】
また、請求項５記載の発明は、上記請求項１〜４のいずれかに記載の携帯端末位置に応じたオンライン抽選システムにおいて、前記抽選サーバが、前記携帯端末の位置を確認した際、前記携帯端末が前記所定のエリア内に存在しないとき、宣伝及び／又は抽選情報を前記携帯端末に送信する構成としてある。
このようにすることにより、所定のエリア内にいないユーザを、所定のエリアまで呼び寄せたり、あるいは、より印象に残る状態で宣伝を行うことができる。
【００１４】
また、請求項６記載の発明は、上記請求項１〜５のいずれかに記載の携帯端末位置に応じたオンライン抽選システムにおいて、前記抽選サーバが、前記携帯端末に、賞品を渡す場所の情報を送信する構成としてある。
このようにすることにより、ユーザは、賞品を容易かつ確実に取りに行けるとともに、賞品を渡す場所にユーザを集めることができる。
【００１５】
また、本発明の請求項７記載の携帯端末位置に応じたオンライン抽選方法は、ＧＰＳ機能を有する携帯端末を使用するユーザが、ネットワークを介して抽選サーバにアクセスする段階と、前記抽選サーバが、前記アクセスを受けると、前記携帯端末が所定のエリア内に存在することを確認する段階と、前記携帯端末が所定のエリア内に存在するとき、抽選番号を生成して前記携帯端末に送信するとともに、前記抽選番号を抽選番号データベースに格納し、さらにオンライン上で抽選を行う段階とを有する方法としてある。
このように、本発明は、携帯端末位置に応じたオンライン抽選方法としても有効であり、抽選を希望するユーザに、新鮮な印象を与えるとともに、所定のエリア内にユーザを効率良く集めることができる。
【００１６】
また、本発明の請求項８記載の携帯端末位置に応じたオンライン抽選プログラムは、ネットワークを介してオンライン上で抽選を行う抽選サーバに、ＧＰＳ機能を有する携帯端末からのネットワークを介して行われるアクセスに対して、前記携帯端末の位置を確認し、前記携帯端末が所定のエリア内に存在するか否かを判断させる手順と、前記携帯端末が所定のエリア内に存在すると判断したとき、抽選番号を生成して前記携帯端末に送信するとともに、前記抽選番号を抽選番号データベースに格納し、さらに、オンライン上で抽選を行う手順とを実行させる構成としてある。
このようにすることにより、所定のエリア内のユーザに対して、オンライン上で抽選を行うことができ、抽選箱などの抽選装置の準備を行わなくても抽選を行うことができる。また、ユーザにとっては、抽選くじを引くために並んだりしなくてもすむので、煩わしさから開放される。
【００１７】
【発明の実施の形態】
以下、本発明の実施形態について、図面を参照して説明する。
まず、本発明の携帯端末位置に応じたオンライン抽選システムの実施形態について、図面を参照して説明する。
【００１８】
［携帯端末位置に応じたオンライン抽選システム］
図１は、本発明に係る携帯端末位置に応じたオンライン抽選システムの実施形態の基本構成を説明するための概略ブロック図を示している。
同図において、オンライン抽選システム１は、ユーザが使用する携帯端末１０と、抽選サーバ２０と、これらを相互に接続するインターネット等のネットワーク１００と、抽選サーバ２０と接続された抽選番号データベース３０とからなっている。
また、携帯端末１０，抽選サーバ２０及び抽選番号データベース３０は、テーマパークなどの所定のエリア内に存在している。
【００１９】
携帯端末１０は、ＧＰＳ（Ｇｌｏｂａｌ　Ｐｏｓｉｔｉｏｎｉｎｇ　Ｓｙｓｔｅｍ）機能を備えた携帯電話などの端末であり、インターネット等のネットワーク１００を介して、抽選サーバ２０にアクセスすることができる。
この携帯端末１０は、抽選サーバ２０から携帯端末１０の位置情報の提供を要求されると、ＧＰＳ機能によって得られる位置情報を抽選サーバ２０に送信する機能を有している。
さらに、携帯端末１０は、抽選サーバ２０から送信される抽選番号と認識番号を入力すると、これら抽選番号と認識番号を保存する。
【００２０】
抽選サーバ２０は、Ｗｅｂサーバやアプリケーションサーバなどによって構成され、抽選会を開催する開催者が使用するサーバである。
なお、本実施形態では、開催者が抽選サーバ２０を使用する構成としてあるが、これに限定されるものではなく、例えば、開催者から抽選会を委託された抽選会代行会社などが使用し、開催者が所有する携帯端末に抽選結果を送信してもよいことは勿論である。
【００２１】
この抽選サーバ２０は、携帯端末１０がネットワーク１００を介してアクセスしてくると、携帯端末１０の位置情報を要求し、その位置情報から携帯端末１０が開催者の指定した所定のエリア内に存在するか否かを判断する。
そして、抽選サーバ２０は、携帯端末１０が所定のエリア内に存在するとき、抽選番号と認識番号を生成して携帯端末１０に送信し、さらに、抽選番号と認識番号を抽選番号データベース３０に格納する。
【００２２】
ここで、抽選番号は、抽選に使用される番号であり、通常、複数桁の一意の整数が選択される。
なお、抽選番号は、これに限定されるものではなく、採用される抽選方法や各賞と当選数の組合せに応じて、色々な組合せからなる番号を選択することができる。したがって、例えば、特賞１名、金賞３名、銀賞５名などを抽選する場合には、金賞の抽選番号として同一番号を三つ選択してもよい。
また、認識番号は、抽選番号と対をなす番号であり、当選者を特定する番号である。したがって、通常、同一番号が発生しないように選択される。
なお、本実施形態では、抽選番号の他に認識番号を生成し、当選者を特定する番号として使用しているが、抽選番号だけを生成し、この抽選番号で当選者を特定してもよい。
【００２３】
抽選サーバ２０は、抽選番号と認識番号を生成すると、ネットワーク１００を介して、この抽選番号と認識番号を、携帯端末１０に送信するとともに抽選番号サーバ３０に格納する。
なお、携帯端末１０は、受信した抽選番号と認識番号を記録するとよく、このようにすることにより、当選番号が発表された際、当選者であることを容易に証明することができる。
【００２４】
次に、上記構成の携帯端末位置に応じたオンライン抽選システム１の動作について、図面を参照して説明する。
図２は、本実施形態の携帯端末位置に応じたオンライン抽選システムを説明するための、概略フローチャート図を示している。
同図において、所定のエリア内にいるユーザは、携帯端末１０からネットワーク１００を介して、抽選サーバ２０にアクセスする（ステップＳ１）。
ここで、ユーザは、何らかの方法により、抽選サーバ２０へのアクセス方法を知っている必要がある。このアクセス方法を知る方法としては、イベント会場で配られるチラシや放送、掲示物などが利用されるが、特に限定されるものではない。
【００２５】
抽選サーバ２０は、携帯端末１０からのアクセスを受けると、ネットワーク１００を介して携帯端末１０に、携帯端末１０の位置情報を要求する（ステップＳ２）。
続いて、携帯端末１０は、抽選サーバ２０からの位置情報要求を入力すると、ＧＰＳ機能によって位置情報を取得し、この位置情報を、ネットワーク１００を介して抽選サーバ２０に送信する（ステップＳ３）。
【００２６】
抽選サーバ２０は、入力した位置情報にもとづいて、携帯端末１０がテーマパークなどの所定エリア内に存在するか否かを判断する（ステップＳ４）
ここで、携帯端末１０は、ＧＰＳ機能を有している必要があるが、ＧＰＳ機能を有していない携帯端末１０に対しては、所定のエリア（本実施形態では、テーマパークとする。）内にいるか否かを確認するメッセージを送信し、ユーザが行うマニュアル入力によって、所定のエリア内にいるか否かを判断してもよい。
なお、所定のエリアは、テーマパークに限定されるものではなく、開催者が抽選を行う目的などに応じて自由に設定することができることは、勿論である。
【００２７】
ここで、抽選サーバ２０は、携帯端末１０がテーマパーク内に存在しないと判断したとき、宣伝及び／又は抽選情報を携帯端末１０に送信する（ステップＳ５）とよい。このようにすることにより、テーマパークのエリア内にいないユーザを、テーマパークのエリア内に呼び寄せることもできる。また、テーマパークに集まれないユーザに対して、抽選に参加したかったといった感情を抱いているときに、宣伝情報を提供できるので、より印象に残る状態で効果的な宣伝を行うことができる。
また、携帯端末１０がテーマパーク外に存在するときは、抽選サーバ２０が携帯端末１０に対して、アクセス不可の送信をしてもよいことは勿論である。
【００２８】
これに対し、抽選サーバ２０は、携帯端末１０がテーマパーク内に存在していると判断したときは、抽選を行うための抽選番号と認識番号を生成し、ネットワーク１００を介して、図３に示す抽選番号送信画面を携帯端末１０に送信する（ステップＳ６）。
【００２９】
ここで、好ましくは、抽選サーバ２０が、抽選番号と認識番号を送信するとともに、携帯端末１０に、賞品を渡す場所の情報を送信するとよく、このようにすることにより、ユーザにとっては、道に迷ったり遠回りをすることなく、賞品を容易かつ確実に取りに行けるとともに、開催者にとっては、集まってもらいたい場所にユーザを集めることができる。
【００３０】
そして、携帯端末１０は、この抽選番号と認識番号をメモリに保存する（ステップＳ７）。
また、抽選サーバ２０は、抽選番号と認識番号を携帯端末１０に送信した後、この抽選番号と認識番号を抽選番号データベース３０に格納する（ステップＳ８）。
【００３１】
次に、図示してないが、抽選サーバ２０は、開催者が指定した抽選方法で抽選を行う。そして、抽選サーバ２０は、当選番号を館内放送やホームページなどで発表し、当選した人は当選番号と対になる認識番号の両方を示すことで当選品を受け取ることができる。
この抽選方法は、特に限定されるものではなく、例えば、抽選時間を決めてまとめて抽選したり、あるいは、抽選番号と認識番号を抽選番号データベース３０に登録した後、順次抽選を行ってもよい。
【００３２】
このように、本実施形態の携帯端末位置に応じたオンライン抽選システム１は、抽選会の開催者が指定したエリア内のユーザに対して、オンライン抽選を提供することができるので、抽選に伴う賞品代などの経費を払うだけの価値のある、効果的な集客を行うことができる。
つまり、ユーザにとっては、抽選会の情報を知り、携帯端末１０からアクセスすると、手ごろな距離の場所で抽選会が行われ、かつ、くじを引くために並んだりする煩わしさもないので、心地よい手順の中で抽選会に参加することができ、新鮮な感覚を覚えるとともに、抵抗なく抽選会場に足を運ぶことができる。
また、抽選会を行う開催者にとっては、オンライン上で抽選を行うので、例えば、紙でくじを作成した場合に生じるコストや管理する人手を大幅に低減することができる。
【００３３】
また、本実施形態のオンライン抽選システムは、上記構成に限定されるものではなく、様々な応用例を含むものである。
次に、オンライン抽選システムの応用例について、図面を参照して説明する。
【００３４】
（応用例）
図４は、本発明に係る携帯端末位置に応じたオンライン抽選システムの応用例の基本構成を説明するための概略ブロック図を示している。
図４に示すように、本応用例のオンライン抽選システム１ａは、上述した実施形態において、抽選サーバ２０ａが、抽選番号データベース３０ａ及び抽選番号データベース３１ａと接続されており、抽選番号データベース３０ａ，３１ａごとに異なる抽選を行う構成としてある。
【００３５】
具体的には、抽選サーバ２０ａは、所定のエリア内の携帯端末１０からアクセスを受けると、抽選番号と認識番号を生成する前に、アンケートに答えてもらえるかどうかの判断を促す入力フォーム（図示せず）を携帯端末１０に送信する。なお、この入力フォームには、アンケートに答えてもらうと、より魅力的な賞品が含まれる抽選に参加できる旨の情報が表示されている。
【００３６】
抽選サーバ２０ａは、アンケートに答えたユーザに対して、アンケートに答えない場合よりも魅力的な賞品が当たる抽選を行う構成としてある。具体的には、抽選番号データベース３１ａに格納された抽選番号は、抽選番号データベース３０ａに格納された抽選番号より、魅力的な賞品に対する抽選を行う。
このようにすることにより、アンケートに答えてくれるユーザを増やすことができる。また、アンケートに答えるのが煩わしいユーザであっても、抽選会に参加することができるので、どちらにするか自由に選択することができる。
【００３７】
抽選サーバ２０ａは、携帯端末１０のユーザが、アンケートに答えない方を選んだ場合は、生成した抽選番号と認識番号を携帯端末１０に送信し、続いて、抽選番号データベース３０ａに格納する。一方、アンケートに答える方を選んだ場合は、アンケートに答えた後、生成した抽選番号と認識番号を携帯端末１０に送信し、続いて、抽選番号データベース３１ａに格納する。
【００３８】
なお、本応用例では、異なる抽選を行う判断基準をアンケートに答えたか否かとしたが、これに限定されるものではなく、色々な判断基準を設けることができる。
例えば、抽選サーバ２０ａが、所定のエリアを二以上の分割エリア（例えば、子供向け売場と大人向け売場）に分割し、分割エリアごとに異なる賞品（例えば、おもちゃとＴシャツ）に対して抽選を行う構成としてもよい。このようにすることにより、ユーザが喜ぶ賞品を提供することができるので、効果的な抽選会を行うことができる。
【００３９】
また、上記入力フォームとして、賞品の分類（例えば、おもちゃとＴシャツ）と抽選会場（例えば、子供向け売場と大人向け売場）を表示し、ユーザに希望する賞品の分類を選択してもらい、抽選サーバ２０ａが、賞品の分類に応じて、抽選番号と認識番号を抽選番号データベースに格納する構成としてもよい。
このようにすることにより、所定のエリア内にいるユーザに対して、希望する賞品に応じたユーザを異なる抽選会場（分割エリア）に集めることができる。
【００４０】
また、抽選サーバ２０ａが、所定のエリアを二以上の分割エリアに分割し、分割エリアごとに異なる当選確率で抽選を行う構成としてもよく、このようにすることにより、所定のエリア内にいるユーザであっても、抽選サーバ２０ａにアクセスした位置に応じて、当選確率を異ならせることができるので、差別化した抽選を行うことができる。
なお、本応用例のオンライン抽選のシステム１ａのその他の構成については、上記オンライン抽選のシステム１と同様としてある。
【００４１】
［携帯端末位置に応じたオンライン抽選方法］
続いて、上記のように構成された携帯端末位置に応じたオンライン抽選システム１を稼働させる携帯端末位置に応じたオンライン抽選方法について説明する。
【００４２】
図２に示すように、ＧＰＳ機能を有する携帯端末１０を使用するユーザは、ネットワーク１００を介して抽選サーバ２０にアクセスする（ステップＳ１）。
続いて、抽選サーバ２０が、このアクセスを受けると、携帯端末１０のＧＰＳ機能を利用して、携帯端末１０が所定のエリア内に存在することを確認する（ステップＳ４）。
【００４３】
次に、抽選サーバ２０は、携帯端末１０が所定のエリア内に存在するとき、抽選番号と認識番号を生成して携帯端末１０に送信し（ステップＳ６）、さらに、抽選番号と認識番号を抽選番号データベース３０に格納し、オンライン上で抽選を行う。
【００４４】
上記のように、本発明における携帯端末位置に応じたオンライン抽選方法によれば、抽選を希望するユーザに、新鮮な印象を与えるとともに、所定のエリア内にユーザを効率良く集めることができる。
【００４５】
［携帯端末位置に応じたオンライン抽選プログラム］
また、本発明は、携帯端末位置に応じたオンライン抽選プログラムとしても有効であり、本発明における携帯端末位置に応じたオンライン抽選プログラムは、上述した抽選サーバ２０に各処理を実行させる。
【００４６】
つまり、携帯端末位置に応じたオンライン抽選プログラムは、ネットワーク１００を介してオンライン上で抽選を行う抽選サーバ２０に、ＧＰＳ機能を有する携帯端末１０からのネットワーク１００を介して行われるアクセスに対して、携帯端末１０の位置を確認し、携帯端末１０が所定のエリア内に存在するか否かを判断させる手順と、携帯端末１０が所定のエリア内に存在すると判断したとき、抽選番号と認識番号を生成して携帯端末１０に送信し、さらに、抽選番号と認識番号を抽選番号データベースに格納し、オンライン上で抽選を行う手順とを実行させる構成としてある。
【００４７】
このように、本発明は、携帯端末位置に応じたオンライン抽選プログラムとしても有効であり、所定のエリア内のユーザに対して、オンライン上で抽選を行うことができ、抽選箱などの抽選装置の準備を行わなくても抽選を行うことができる。また、ユーザにとっては、抽選くじを引くために並んだりしなくてもすむので、煩わしさから開放される。
【００４８】
なお、携帯端末位置に応じたオンライン抽選を実現するための携帯端末位置に応じたオンライン抽選プログラムは、抽選サーバ２０として一般的に使用されるコンピュータのＲＯＭに記憶される他、コンピュータ読み取り可能な記録媒体、例えば、外部記憶装置及び可搬記録媒体等に格納することができる。
ここで、外部記憶装置とは、磁気ディスク等の記録媒体を内蔵し、抽選サーバ２０に外部接続される記憶増設装置をいう。一方、可搬記録媒体とは、記録媒体駆動装置（ドライブ装置）に装着でき、かつ、持ち運び可能な記録媒体であって、たとえば、ＣＤ−ＲＯＭ、フレキシブルディスク、メモリカード、光磁気ディスク等をいう。
【００４９】
そして、記録媒体に記憶されたプログラムは、コンピュータのＲＡＭにロードされて、ＣＰＵにより実行される。この実行により、上述した本実施形態の抽選サーバ２０の機能が実現される。
さらに、コンピュータで携帯端末位置に応じたオンライン抽選プログラムをロードする場合、他のコンピュータで保有された携帯端末位置に応じたオンライン抽選プログラムを、通信回線を利用して自己の有するＲＡＭや外部記憶装置にダウンロードすることもできる。このダウンロードされた携帯端末位置に応じたオンライン抽選プログラムも、ＣＰＵにより実行され、本実施形態における抽選サーバ２０のオンライン抽選処理を実現する。
【００５０】
また、上記携帯端末位置に応じたオンライン抽選プログラムは、抽選サーバ２０に使用されているコンピュータのＲＯＭに記憶される他、コンピュータ読み取り可能な記録媒体、例えば、外部記憶装置及び可搬記録媒体等に格納することができる。
【００５１】
なお、本発明に係る携帯端末位置に応じたオンライン抽選システムにおいて、上述した抽選サーバ２０が、所定のエリアを二以上の分割エリアに分割し、分割エリアごとに異なる当選確率で抽選を行うシステム，分割エリアごとに異なる賞品に対して抽選を行うシステム，分割エリアを、店舗内，テーマパーク内又は商店街内の特定位置を含む範囲としたシステム，抽選サーバ２０が、携帯端末１０の位置を確認した際、携帯端末１０が所定のエリア内に存在しないとき、宣伝及び／又は抽選情報を携帯端末１０に送信するシステム，及び抽選サーバ２０が、携帯端末２０に、賞品を渡す場所の情報を送信するシステムは、それぞれ単独で実施することができるとともに、これらの組み合わせとしても実施することができ、それぞれの効果を発揮することができることは勿論である。
【００５２】
また、携帯端末位置に応じたオンライン抽選システムとして説明したが、携帯端末位置に応じたオンライン抽選方法及び携帯端末位置に応じたオンライン抽選プログラムとしても、同様の効果を発揮できることは勿論である。
【００５３】
【発明の効果】
以上のように、本発明における携帯端末位置に応じたオンライン抽選システム，携帯端末位置に応じたオンライン抽選方法及び携帯端末位置に応じたオンライン抽選プログラムによれば、ユーザは、新鮮な印象を受けながら抽選会に参加することができるので、所定のエリア（店舗、テーマパーク、ショッピングモール等）に気軽に足を運ぶことができ、効率良くユーザを集めることができる。
【００５４】
また、オンライン上で抽選を行うため、紙でくじを作成した場合に生じるコストと多くの人が抽選くじを引くためにかかる時間や管理する人手を削減することができる。したがって、一日に抽選を複数回行ったり、客寄せのためのイベントとして定期的に行うことも可能となる。
【図面の簡単な説明】
【図１】図１は、本発明に係る携帯端末位置に応じたオンライン抽選システムの実施形態の基本構成を説明するための概略ブロック図を示している。
【図２】図２は、本実施形態の携帯端末位置に応じたオンライン抽選システムを説明するための、概略フローチャート図を示している。
【図３】図３は、本実施形態の携帯端末位置に応じたオンライン抽選システムの抽選番号送信画面を説明するための概略図を示している。
【図４】図４は、本発明に係る携帯端末位置に応じたオンライン抽選システムの応用例の基本構成を説明するための概略ブロック図を示している。
【符号の説明】
１，１ａ　オンライン抽選システム
１０　携帯端末
２０，２０ａ　抽選サーバ
３０，３０ａ，３１ａ　抽選番号データベース
１００　ネットワーク
【図１】
2004038592.tif 000003
【図２】
2004038592.tif 000004
【図３】
2004038592.tif 000005
【図４】
2004038592.tif 000006